(57)【要約】【課題】  治療対象の照射予定領域の目視確認を妨害することなく、治療対象からの情報を音響的にモニタリングすることが可能な探触子ユニットを提供すること。【解決手段】  音響波を受信する探触子ユニットであって、探触子と、探触子が検出した音響波信号を音響波装置に出力する出力部と、光出射部と照準ガイドとを有する光照射ユニットに脱着可能に接続される接続部と、を有し探触子を被検体と音響的に結合するように配置するとき、光出射部からの照射予定領域を術者が目視可能なように、探触子と接続部とが配置されている。【選択図】  図１
2020081344.tif 000002
【特許請求の範囲】
【請求項１】
音響波を受信する探触子ユニットであって、探触子と、
前記探触子が検出した音響波信号を音響波装置に出力する出力部と、
光出射部と照準ガイドとを有する光照射ユニットに脱着可能に接続される接続部と、を有し、
前記探触子を被検体と音響的に結合するように配置するとき、前記光出射部からの照射予定領域を術者が目視可能なように、前記探触子と前記接続部とが配置されていることを特徴とする探触子ユニット。
【請求項２】
前記探触子と前記接続部は、前記照射予定領域を提示するために前記光照射ユニットから照射されるガイド光と重ならない位置に設けられることを特徴とする請求項１に記載の探触子ユニット。
【請求項３】
前記探触子と前記接続部は、前記光出射部からの光束と重ならない位置に設けられることを特徴とする請求項１または２に記載の探触子ユニット。
【請求項４】
前記探触子と前記接続部は、前記光出射部からの光束を囲む位置に設けられることを特徴とする請求項１乃至３のいずれか１項に記載の探触子ユニット。
【請求項５】
前記探触子は、閉環形状、開環形状、及び、離散的に配置された３以上の変換素子を含むことを特徴とする請求項１乃至４のいずれか１項に記載の探触子ユニット。
【請求項６】
前記接続部は、前記照準ガイドに接続されるように構成されていることを特徴とする請求項１乃至５のいずれか１項に記載の探触子ユニット。
【請求項７】
前記探触子と前記接続部とに接続される延長部を有することを特徴とする請求項１乃至６のいずれか１項に記載の探触子ユニット。
【請求項８】
前記光照射ユニットに対する前記探触子の相対角度が変更可能なように、前記探触子が設けられていることを特徴とする請求項１乃至７のいずれか１項に記載の探触子ユニット。
【請求項９】
前記光照射ユニットに対する前記探触子の相対角度が変更可能なように、前記探触子が前記延長部に回転可能に固定されていることを特徴とする請求項８に記載の探触子ユニット。
【請求項１０】
前記光出射部が設けられ、前記光照射ユニットは術者が把持するためのハンドピースを有しており、前記ハンドピースに対する前記探触子の相対角度が変更可能なように、前記探触子が前記延長部に回転可能に固定されていることを特徴とする請求項８または９に記載の探触子ユニット。
【請求項１１】
前記出力部は、無線、有線、光、のうちのいずれかで、前記音響波信号を前記音響波装置に送信するように構成されていることを特徴とする請求項１乃至１０のいずれか１項に記載の探触子ユニット。
【請求項１２】
前記光出射部からの光を検出するように配置された光センサを有することを特徴とする請求項１乃至１１のいずれか１項に記載の探触子ユニット。
【請求項１３】
前記光センサは、前記探触子に配置されていることを特徴とする請求項１２に記載の探触子ユニット。
【請求項１４】
請求項１乃至１３のいずれか１項に記載の探触子ユニットと、
前記探触子ユニットからの音響波信号を受信する音響波装置と、
を備えることを特徴とする音響波受信システム。
【発明の詳細な説明】
【技術分野】
【０００１】
本発明は、被検体から伝搬される音響波を受信する探触子ユニット、及び、探触子ユニットを備える音響波受信システムに関する。
【背景技術】
【０００２】
皮膚科、審美皮膚科等に適用され、被検体の特定領域を加熱することで治療するレーザ光照射装置が知られている。特許文献１は、しみ、そばかす等の治療を目的としてレーザ光を出射する光出射部を備えた手持ち式のレーザプローブを開示している。特許文献１に記載のレーザプローブは、光出射部を備えるハンドピースと、ハンドピースから被検体に向けて突出し、光出射部と被検体との距離と照射スポットとをガイドする照準ガイドと、を備えている。
【０００３】
一方で、レーザ治療光の被検体に対する影響を光音響信号で音響的にモニタリングし、治療効果を把握する手法が知られている。特許文献２は、探触子と治療用のレーザ光を出射する光ファイバ端とをハンドピースに設けたハンドヘルド型のプローブを記載している。特許文献２は、さらに、モニタリングした光音響信号の変化は治療効果を反映していることを開示している。
【先行技術文献】
【特許文献】
【０００４】
【特許文献１】米国特許出願公開第２００８／０１７２１１４号明細書
【特許文献２】米国特許出願公開第２００８／００７１１７２号明細書
【発明の概要】
【発明が解決しようとする課題】
【０００５】
照射予定領域ＲＴＩ（Ｒｅｇｉｏｎ  Ｔｏ  ｂｅ  Ｉｒｒａｄｉａｔｅｄ）は、通常、処置前に決められた施術計画に基づいて設定されるか、または、処置中の被検体の状態に応じて医師が設定する。皮膚科、口腔外科、歯科、消化器外科等においては、照射スポットを離散的または連続的に移動させて、数ｍｍ〜数ｃｍオーダのサイズの照射予定領域ＲＴＩをカバーするように複数回のレーザ光の照射を行う。術者は、複数回のレーザ光の照射毎に、照射後の状態を目視確認したり、次の照射領域を探したり、するために、ハンドピースを被検体から離す動作を行う。また、術者または被験者の体動、術者の疲労等による手技の不安定性から、ハンドピースと被検体とがなす距離、角度等の位置関係は、複数回のレーザ光の照射毎に必ずしも一定ではない。
【０００６】
特許文献２に記載の方法により、レーザ光の照射毎に照射領域の状態を音響的にモニタリングしようとした場合に、ハンドピースの上げ下げに伴い音響的結合ＣＲが照射毎に一定でなくなるおそれがあった。また逆に、特許文献２に記載の方法により、音響的結合ＣＲを維持するために、レーザ光の照射毎にハンドピースを被検体に密着し続ける場合は、照射領域ＩＲの位置合わせの正確性が担保されないおそれがあった。音響的結合ＣＲの確認と位置合わせの確認を照射イベント毎に行うと手技が煩雑となり、術者が行う手技の時間が延長されるため、術者、および、被験者のユーザビリティ上、改善が望まれていた。
【０００７】
本願発明の目的は、治療対象の照射予定領域の目視確認を妨害することなく、治療対象からの情報を音響的にモニタリングすることが可能な探触子ユニットを提供することである。
【課題を解決するための手段】
【０００８】
本発明に係る探触子ユニットは、音響波を受信する探触子ユニットであって、探触子と、
前記探触子が検出した音響波信号を音響波装置に出力する出力部と、光出射部と照準ガイドとを有する光照射ユニットに脱着可能に接続される接続部と、を有し、前記探触子を被検体と音響的に結合するように配置するとき、前記光出射部からの照射予定領域を術者が目視可能なように、前記探触子と前記接続部とが配置されていることを特徴とする。
【発明の効果】
【０００９】
本願発明によれば、治療対象の照射予定領域の目視確認を妨害することなく、治療対象からの情報を音響的にモニタリングすることが可能な探触子ユニットを提供することが可能となる。
【図面の簡単な説明】
【００１０】
【図１】第１の実施形態に係る探触子ユニット（ａ）と、光照射ユニット（ｂ）と、両ユニットを接続した態様（ｃ）〜（ｅ）と、を模式的に示す図である。
【図２】第２の実施形態に係る照射光モニタリングシステムを模式的に示した図である。
【図３】第３の実施形態に係る探触子ユニットを模式的に示した図である。
【図４】第４の実施形態に係る探触子ユニットを模式的に示した図（ａ）、（ｂ）である。
【図５】第５の実施形態に係る探触子ユニットを模式的に示した図（ａ）、（ｂ）である。
【図６】第６の実施形態に係る探触子ユニットを模式的に示した図（ａ）、（ｂ）である。
【発明を実施するための形態】
【００１１】
以下、図面を参照しながら、本発明の実施形態について詳細に説明する。なお、同一の構成要素には原則として同一の符号を付して説明を省略する。
【００１２】
＜第１の実施形態＞
図１は、第１の実施形態に係る探触子ユニット１００（ａ）と、探触子ユニット１０が接続される光照射ユニット２００（ｂ）と、両ユニットが接続された状態（ｃ）〜（ｅ）と、を示す模式図である。
【００１３】
探触子ユニット１００は、図１（ａ）のように、被検体からの音響波を受信するための探触子１０と、探触子１０が検出した音響波信号を音響波装置に出力する出力部５０と、後述する光照射ユニット２００に脱着可能に接続される接続部３０と、を有している。
【００１４】
光照射ユニット２００は、探触子ユニット１００が接続される対象の要素である。光照射ユニット２００は、図１（ｂ）に示すように、被検体に向けて光を照射する光出射部６０と照準ガイド２０とを有する。
【００１５】
光出射部６０は、術者が把持するためのハンドピース４０に配置される。照準ガイド２０は、ハンドピース４０から照射方向に突出する棒状の距離ガイド２０ａと、距離ガイド２０ａの先端に配置され照射スポットを囲むように設けられた円弧状の照射領域ガイド２０ｂと、を備える。照準ガイド２０は、ハンドピース４０の被検体側の面において、光出射部６０を避けて配置されている。
【００１６】
照準ガイド２０は、被検体２０１上の照射光の照度を大きく変動させないようにガイドする目的と、被検体２０１の照射予定領域ＲＴＩに対する照射領域ＩＲとの位置合わせをガイドする目的において、光照射ユニット２００に設けられている。光出射部６０からは、コリメート光を照射する場合もあるが、拡大光や収束光を照射する場合がある。このため、照準ガイド２０は、光出射部６０と被検体２０１との距離ＳＯＤ（Ｓｏｕｒｃｅ  ｔｏ  Ｏｂｊｅｃｔ  Ｄｉｓｔａｎｃｅ）に依存して反比例する照度が、術者の手技により影響を受け難くするために、距離ＳＯＤを術者にガイドする機能を有する。
【００１７】
距離ガイド２０ａは、光出射部６０と被検体２０１との距離ＳＯＤを術者にガイドする。距離ガイド２０ａと照射領域ガイド２０ｂは一体化されていても良いが、別々の部材で構成されていても良い。もしくは、照準ガイド２０は、照射領域ガイド２０ｂを構成部品とせず、距離ガイド２０ａのみから構成されていても良い。
【００１８】
光照射ユニット２００は、被検体上の照射領域ＩＲ（Ｉｒｒａｄｉａｔｉｏｎ  Ｒｅｇｉｏｎ）をガイドするために、治療用の光束２６０より低い強度であって可視光成分を含むガイド光を照射する機構を設けられていても良い。ガイド光は、治療用の光束２６０より低侵襲に設定される。ガイド光は、治療用の光束２６０を照射する本照射と同時に行っても良いし、本照射より前に行っても良いし、本照射の後に行っても良い。なお、照射予定領域ＲＴＩは、メラニン濃度が高い領域を術者が目視確認して把握する場合、電子カルテに記載の過去画像、治療計画等に基づいてマーキングした被検体上のマーカをガイドとして把握する場合が含まれる。
【００１９】
光出射部６０からの光は、生体との相互作用が大きい波長範囲として赤外域を含むことが好ましい。生体との相互作用は、光吸収係数またはグリューナイゼン係数等を指標とすることが可能である。光吸収係数を指標とした場合を説明すると、着目する組織と背景となる組織のそれぞれの光吸収係数が、前者が後者に対して大きくなるように波長を選択することが好ましい。光出射部６０からの出射される光の波長は、可視域から近赤外域に相当する４００〜１１００ｎｍの範囲が好ましい。特に、レーザ光を形成しやすい、５３２ｎｍ、１０６４ｎｍ、５８５ｎｍ、６５０ｎｍ、７８５ｎｍ等の波長であっても良い。
【００２０】
出力部５０は、有線の電気配線を介して音響波装置に音響波信号を送信する。出力部５０が送信する音響波信号の伝搬形態は、無線、光、等を含む。出力部５０は、信号線７０を介して信号分析部を有する音響波装置へ送信される。信号線７０は術者の手技の邪魔にならないように束ねられていても良い。音響波装置については、後述する。
【００２１】
本実施形態の接続部３０は、嵌合により、光照射ユニット２００の照準ガイド２０（距離ガイド）に脱着可能に接続されるように構成されている。接続部３０は、弾性力、磁気、静電力、気圧差、摩擦力、粘着力等の様々な作用を利用することで、光照射ユニット２００と探触子ユニット１００とを接続するように構成されている。接続部３０は、本実施形態ではクリップの形態であるが、マグネットキャッチ、静電チャック、吸盤、面ファスナー、接着材、等が適用可能である。また、接続部３０は、光照射ユニット２００のハンドピース４０と脱着可能に接続される形態も、本実施形態の変形例として含まれる。接続部３０は、探触子ユニット１００の延長部９０に脱着されるように構成される形態が本実施形態の変形例として含まれる。
【００２２】
接続部３０により、図１（ｃ）に示すように、光照射ユニット２００と探触子ユニット１００との相対的な位置関係が固定される。この結果、図１（ｅ）のように、被検体上の照射領域ＩＲと探触子１０が被検体２０１と音響的に結合する音響結合領域ＣＲ（ａｃｏｕｓｔｉｃａｌｌｙ  Ｃｏｕｐｌｉｎｇ  Ｒｅｇｉｏｎ）とが相互に静止した関係を実現できる。
【００２３】
接続部３０により、図１（ｄ）および図１（ｅ）に示すように、術者は、被検体２０１の照射予定領域ＲＴＩを目標として、光照射ユニット２００と探触子ユニット１００とを一体的に移動させることが可能となる。接続部３０により、図１（ｅ）に示すように、術者は、照射領域ＩＲを照射予定ＲＴＩに位置合わせする手技を行うことで、音響結合領域ＣＲを照射予定ＲＴＩに位置合わせする手技が完了すると換言される。また、接続部３０を両ユニット１００、２００が所定の強度で接続できるようにした場合、術者は、両ユニット１００、２００のうちの一方のみ把持することにより、被検体に対して両ユニット１００、２００を一体的に移動または静止させることができる。
【００２４】
探触子１０は、延長部９０を介して接続部３０に設けられている。延長部９０は、接続部３０から探触子１０への距離を定めているスペーサであると換言される。探触子１０の下端と光出射部６０の下端との距離は、照準ガイド２０の下端と光出射部６０の下端との距離に実質的に等しくなる。
【００２５】
探触子１０は、図１（ｅ）に示すように、被検体２０１と音響結合部材２１１を介して音響的に結合することができる。探触子１０は、延長部９０に対して脱着可能な配置とすることができる。これにより、探触子１０の劣化に伴う交換、探触子１０の種類の変更を行うことができる。
【００２６】
また、本実施形態の探触子１０は、延長部９０の長手方向（延長方向）に対して垂直に固定されて設けられているが、かかる長手方向に対して傾斜可能に延長部９０に接続されていても良い。このような傾斜可能な形態とすることにより、被検体に対する照射光の入射角が０度ではない非垂直入射で使用する手持ち式の光照射ユニットの利用形態を制限しない。探触子１０は、光照射ユニット２００に対する相対角度が変更可能なように、延長部９０に回転可能に固定されていると換言される。
【００２７】
また、探触子１０は、開環形状の内径を、光照射領域ＩＲ（照射スポット）より大きく、照射領域ガイド２０ｂの外径より等しいか大きく設定されることが可能である。本実施形態の探触子１０と照射領域ガイド２０ｂとは嵌合されるように構成されている。また、探触子１０は、図１（ｃ）に示すように、探触子１０の開環部と照射領域ガイド２０ｂの開環部とが、方位角方向において、同じ向きとなるように、接続部３０が探触子ユニット１００を光照射ユニット２００に接続している。このような構成にすることで、光照射ユニット２００から出射される光束２６０が照射領域ガイド２０ｂ及び探触子１０によって遮られることなく被検体２０１に照射され、また、術者が光出射部６０からの照射予定領域ＲＴＩを目視可能となっている。
【００２８】
探触子１０は、本実施形態の探触子１０は開環形状となっているが、閉環形状であっても良い。探触子１０は、音響波信号を電気信号に変換することができる変換素子を少なくとも１つ有し、一塊に複数の素子が配列された探触子アレイ形態、あるいは、離散的に配置された３以上の変換素子で構成される形態、を含む。
【００２９】
また、探触子１０は、変換素子の受信指向軸を光照射ユニット２００と探触子ユニット１００とが接続された形態において光束２６０が被検体２０１内に拡散する領域に向けるように備える形態とすることができる。このような配置とすることにより、実効的な、受信信号のＳＮ比を向上することができる。同様の目的において、光束２６０が被検体２０１内に拡散する領域からの音響波が効率的に探触子１０に伝搬するように、音響レンズ効果を発現するように屈折部材を探触子１０の被検体側に配置することができる。屈折部材は、伝搬音速に差がある異なる部材の界面により実現することができる。
【００３０】
本実施形態の探触子ユニット１００は、探触子１０、接続部３０を備えることにより、照射予定領域ＲＴＩと光照射領域ＩＲとの位置合わせ手技が妨げられることなく、術者が、光照射領域ＩＲと音響結合領域ＣＲとを被検体２０１上に配置することができる。
【００３１】
＜第２の実施形態＞
図２は、光照射システム４００と、音響波受信システム３００と、を備える第２の実施形態に係る照射光モニタリングシステム５００を模式的に示した図である。本図においては、簡潔化のために、光照射システム４００が備える光照射ユニット２００と、音響波受信システム３００が備える探触子ユニット１００とは、接続されてない状態で図示してある。照射光モニタリングシステム５００として動作させる場合は、光照射ユニット２００と探触子ユニット１００は、図１（ｃ）〜（ｅ）のように接続される。
【００３２】
光照射システム４００は、図２（ａ）のように、光出射部６０と光導波路２５１を介して光学的に結合された光源２１０と、光源２１０から光出射部６０へのタイミングを制御するフットスイッチ２２０と、を備えている。光源２１０は、光源の波長、出力、繰返し周波数、パルス幅が、制御されるように構成されている。光源２０１、光導波路２５１は、小型化によりハンドピースに内蔵することも可能である。光導波路２５１は、シングルモードファイバ、マルチモードファイバ、バンドルファイバを含む光ファイバ、ミラー、レンズ、拡散板、４分の１波長板、等の光学素子を適用することができる。
【００３３】
また、フットスイッチ２２０は、術者がハンドピース４０を把持する手技に集中することが可能なように、術者の操作性の観点からハンドピース４０以外の部材に配置されるものである。フットスイッチ２２０は、術者のジェスチャーを認識し指令を判別する画像認識、術者からの音声指令を認識し指令を判別する音声認識、等の他の指令手段となる他の指令手段に代替することが可能である。
【００３４】
音響波受信システム３００は、第１の実施形態に係る探触子ユニット１００と、出力部５０からの出力信号を入力される音響波装置３３０と、を備えている。
【００３５】
探触子ユニット１００は、探触子ユニット１００を介して、光照射部６０からの光束２６０の照射のタイミングと音響波装置３３０が行う音響波信号の受信タイミングとの同期をとるために探触子１０の近傍に設けられている。
【００３６】
音響波装置３３０は、出力部５０から送られた信号を分析する信号分析部１１０と、信号分析部１１０を制御しモニター１３０上に分析結果を表示する制御部１２０と、モニター１３０と、術者からの指令を入力するためのコンソール１４０と、有している。
【００３７】
光音響波モニタリングシステム５００は、光出射システム４００から照射された光束２６０により被検体２０１で発生した光音響波を分析して、光出射システム４００から照射された光束２６０の被検体２０１への影響度を術者に提示するものである。
【００３８】
前述の影響度は、治療対象であるシミ等の分解、分断の程度が十分であったか、被検体に対して照射強度が強すぎ他の副作用が生じていないかを、音響的にモニタリングし数値化するものが含まれる。
【００３９】
被検体２０１に照射された光は、血液中のヘモグロビン、皮膚内のメラニン、病変部、色素部、シミ、アザ、毛根部、刺青部等の図示しない生体内部位に到達する。光エネルギーを吸収したそれらの部位は、体積膨張と収縮により音響波（超音波）を発生する。発生した光音響波は、生体内を伝搬しその一部は被検体２０１の表面へ伝搬する。その後、光音響波は、被検体２０１と音響的に結合する探触子１０を介して探触子ユニット１００により受信される。
【００４０】
探触子ユニット１００によって受信された光音響波は、信号線７０を介して電気信号として音響波装置３３０が備える信号分析部１１０へ送信される。信号分析部１１０は、光音響波信号の信号取得に関するトリガ処理とアナログ／デジタル変換を主に行う。光音響波信号をトリガとする場合、光音響波の発生源である部位（以降、関心音源とする）の存在の有無を音響的に検知することが出来るものの、被検体２０１における関心音源の深さを把握することは出来ない。
【００４１】
一方、探触子ユニット１００がトリガ用の光センサ１１２を有する場合、信号分析部１１０におけるトリガ処理にトリガ用光センサ１１２からの信号を用いることが出来る。トリガ用光センサ１１２は、光照射システム４００より被検体２０１に照射された光が被検体２０１の表面で拡散された光あるいは被検体２０１表面で反射した光を受信し、電気信号として信号分析部１１０に送信する。信号分析部１１０では被検体２０１表面に照射された光そのものをトリガとするため、光を受信したタイミングと光音響波を受信したタイミングとの時間差から、被検体２０１における関心音源の深さを把握することが出来る。
【００４２】
なお、探触子ユニット１００からの送信信号がデジタル信号である場合は、信号分析部１１０はアナログ／デジタル変換を行う必要がない。
【００４３】
信号分析部１１０においてトリガ処理及びアナログ／デジタル変換された光音響波信号は制御部１２０へ送信される。制御部１２０では分析された光音響波信号をモニター１３０へ表示させる処理と、コンソール１４０を介して術者との入出力の処理とを主に行う
制御部１２０は、信号分析部１１０において処理された光音響波信号の経時波形をモニター１３０に表示しても良い。制御部１２０は、光音響信号が所定の閾値を超えたか否かに基づき、被検体２０１表面もしくは内部に光音響波を発生させる関心部位が存在しているか否かをモニター１３０に表示することができる。また、制御部１２０は、光音響波を発生させた関心部位を断層像としてモニター１３０に表示しても良い。制御部１２０は、トリガ用の光センサ１２０の検知結果をモニター１３０に表示しても良い。
【００４４】
制御部１２０は、コンソール１４０を介して、どのデータをモニター１３０に表示させるかを指示することが出来る。また、制御部１２０は、コンソール１４０を介して、光音響波信号とトリガ用光センサの値を他の不図示の機器に出力することが出来る。
【００４５】
＜第３の実施形態＞
図３は、第１の実施形態の変形例である第３の実施形態に係る探触子ユニット１００の模式図である。
【００４６】
本実施形態に係る探触子ユニット１００は、接続部３０ａを介して、光照射ユニット２００のハンドピース４０に接続されている点において、第１の実施形態に係る探触子ユニット１００と相違する。接続部３０は、探触子ユニット１００に固定されたベース部３０ａと、ハンドピースに巻き付けることで接続される締結部３０ｂ、とを有している。
【００４７】
接続部３０は、第１の実施形態と同様にして、ゴムバンドや面ファスナー、クランプ金具などを用いることができる。接続部３０（３０ａ）を接続するハンドピース４０の箇所は、光出射部６０から照射される光束を遮らないように接続することが望まれる。
【００４８】
＜第４の実施形態＞
図４は、第１の実施形態の変形例である第４の実施形態に係る探触子ユニット１００の模式図である。図４（ａ）、（ｂ）は、それぞれ、探触子ユニット１００と光照射ユニット２００とが非接続状態、接続状態とを示しており、図１（ｄ）、（ｅ）に対応している。
【００４９】
本実施形態に係る探触子ユニット１００は、接続部３０ａと３０ｃとを介して、光照射ユニット２００の照準ガイド２０（距離ガイド２０ａ）に接続されている点において、第１の実施形態に係る探触子ユニット１００と相違する。本実施形態は、複数個所で探触子ユニット１００と光照射ユニット２００を接続することで、１箇所あたりの接続強度が低くいことが許容されるとともに、照射光軸に対する一方のユニットが傾くリスクを低減することが可能である。
【００５０】
接続部３０ａはハンドピース４０に、接続部３０ｃは照準ガイド２０に、接続されるようにする形態も本発明の形態として含まれる。
【００５１】
＜第５の実施形態＞
図５は、第１の実施形態の変形例である第５の実施形態に係る探触子ユニット１００の模式図である。図５（ａ）、（ｂ）は、それぞれ、探触子ユニット１００と光照射ユニット２００とが非接続状態、接続状態とを示しており、図１（ｄ）、（ｅ）に対応している。
【００５２】
本実施形態の探触子ユニット１００は、図５（ａ）、（ｂ）に示すように、出力部５０が無線で音響波装置に音響波信号を送信するように構成されている点において、第１の実施形態に係る探触子ユニット１００と相違する。さらに、本実施形態の探触子ユニット１００は、図５（ａ）、（ｂ）に示すように、延長部９０を有さず接続部３０が照準ガイド２０の先端側に固定されるように構成されている点においても、第１の実施形態に係る探触子ユニット１００と相違する。
【００５３】
本実施形態の出力部５０は、不図示のトランシーバ、トランシーバに給電するバッテリを探触子１０のユニットに備える形態が含まれる。
【００５４】
＜第６の実施形態＞
図６は、第１の実施形態の変形例である第６の実施形態に係る探触子ユニット１００の模式図である。図６（ａ）、（ｂ）は、それぞれ、探触子ユニット１００と光照射ユニット２００とが非接続状態、接続状態とを示しており、図１（ｄ）、（ｅ）に対応している。
【００５５】
第１の実施形態の探触子１０は、延長部９０の長手方向に対して垂直に固定されて設けられていた。これに対して、本実施形態の探触子ユニット１００は、探触子１０が延長部９０の長手方向に対して傾斜可能に延長部９０に接続されている点において、第１の実施形態の探触子ユニット１００と相違する。このように探触子１０を延長部９０に対して、すなわち、探触子１０をハンドピース４０に対して傾斜可能な形態とすることにより、光照射ユニット２００利用時のハンドピース４０を把持する角度の制限が解除される。光照射ユニット１００は、手持ち式のため、被検体２０１に対する照射光の入射角が０度ではなく、照射タイミング毎に把持する角度が一般に異なるため、本実施形態の構成は術者のユーザビリティを向上する。
【符号の説明】
【００５６】
１００  探触子ユニット
１０  探触子
３０  接続部
５０  出力部
【図１】
2020081344.tif 000003
【図２】
2020081344.tif 000004
【図３】
2020081344.tif 000005
【図４】
2020081344.tif 000006
【図５】
2020081344.tif 000007
【図６】
2020081344.tif 000008